(57)【特許請求の範囲】
【請求項１】
架線から集電装置及び母線を介して電力が供給され、該電力を電動機駆動に適した交流電力に変換し、電力入力端には前記母線に接続される電流遮断器を有する電力変換器と、
前記電力変換器の直流側マイナス端子と前記母線間の絶縁抵抗を測定する絶縁抵抗検出手段と、
絶縁抵抗検出手段によって測定された絶縁抵抗値が予め設定された闘値より低い場合、前記電力変換器の直流側マイナス端子と前記母線間に短絡が発生していると判定する絶縁抵抗健全性判定手段と、を備える電気車システム。
【請求項２】
複数の車両で構成される編成の絶縁抵抗健全性を判定する電気車システムであって、
前記車両は、
架線から集電装置及び母線を介して電力が供給され、該電力を電動機駆動に適した交流電力に変換し、電力入力端には前記母線に接続される電流遮断器を有する電力変換器と、
前記電力変換器の直流側マイナス端子と前記母線間の絶縁抵抗を測定する絶縁抵抗検出手段と、
絶縁抵抗検出手段によって測定された絶縁抵抗値が予め設定された判定闘値より低い場合、前記電力変換器の直流側マイナス端子と前記母線間に短絡が発生していると判定する絶縁抵抗健全性判定手段とを備え、
前記編成は、前記編成に搭載された前記電力変換器を含む機器を統括管理する編成管理部を具備し、該編成管理部は、前記絶縁抵抗健全性判定手段から判定信号を受信すると、絶縁抵抗不良が発生した部位を運転席に配置された表示装置で報知する電気車システム。
【請求項３】
前記母線は、各車両に設置された前記電力変換器に共通に接続される高圧母線引き通しの構造を有し、該高圧母線引き通しは、１以上の接触器により複数の区画に分割され、該高圧母線引き通しの両端又は一端の区画に前記絶縁抵抗検出手段が設けられていることを特徴とする請求項２記載の電気車システム。
【請求項４】
前記絶縁抵抗を測定する場合、全ての接触器を開放し、前記母線の末端に近い位置に設置されている接触器から順次投入することで、絶縁不良部位が判定されることを特徴とする請求項３記載の電気車システム。
【請求項５】
前記母線には単一の接触器が設けられ、該接触器により分割された２つの区画に供給される電力量が同程度となる位置に、該接触器が配置されることを特徴とする請求項３記載の電気車システム。
【請求項６】
前記判定闘値は、前記母線に配置された接触器の投入状況に応じて可変されることを特徴とする請求項３記載の電気車システム。
【請求項７】
複数の車両で構成される編成の絶縁抵抗健全性を判定する電気車システムであって、
前記車両は、架線から集電装置及び母線を介して電力が供給され、該電力を電動機駆動に適した交流電力に変換する電力変換器と、前記集電装置を流れる電流を検出する電流検出器とを備え、
前記編成は、複数の前記電流検出器にて検出された電流を加算し、該加算された電流の単位時間当たりの変化量を算出する算出手段と、前記変化量が所定閾値を超えた場合、前記編成内に地絡が発生していると判定する判定手段とを具備する電気車システム。
【請求項８】
前記母線は、各車両に設置された前記電力変換器に共通に接続される高圧母線引き通しの構造を有し、
前記編成は、前記高圧母線を流れる電流を前記高圧母線上の複数個所で検出し、検出された電流の方向に基づいて地絡位置を推定する地絡位置推定手段を具備することを特徴とする請求項７記載の電気車システム。
【発明の詳細な説明】
【技術分野】
【０００１】
本発明は架線から電力の供給を受けて走行する電気車に生じる短絡あるいは地絡事故を検出する電気車システムに関する。
【背景技術】
【０００２】
電気車の電力変換装置を含む主回路には高速度遮断器（ＨＢ）が設置され、主回路での短絡あるいは地絡（レールへの短絡）時の故障電流を検出して遮断し、故障回路を保護する仕組みになっている。また、交番検査等の点検において重要機器に対しては、絶縁抵抗を測定し、当該回路の絶縁状態が健全であることを確認している。
【先行技術文献】
【特許文献】
【０００３】
【特許文献１】特開２００２−１３１３６１号公報
【発明の概要】
【発明が解決しようとする課題】
【０００４】
車両内において、高速度遮断器ＨＢよりもパンタグラフ側の回路で地絡もしくは短絡が発生した場合、故障電流が流れ、変電所の直流遮断器がトリップすなわち遮断させる。この場合、ＨＢより下段の回路での故障と異なり、事故後の故障回路の開放が早急に実施されないと、変電所が遮断器を再投入した際に、再び事故点に電流が流れ、変電所の遮断器が再びトリップする。
【０００５】
また、ＨＢより下段の回路で故障電流が流れた場合、当該回路（ユニット）の故障状態を運転士に表示するシステムになっており、運転士が自編成（以下、列車ともいう）内で故障が発生しているか確認できるようになっている。その一方、ＨＢより上位のパンタグラフ側回路に事故点があり、地絡短絡電流が流れた場合、運転士は自編成内で故障が発生していることを認識できない。結果として地絡短絡事故発生直後に、事故が発生している編成の故障部位が解放されないまま、上記したように変電所の再閉路で遮断器は再びトリップする。地絡事故が発生した編成が存在する当該き電区間に複数の編成が存在する場合、事故編成を瞬時に特定することはできず、当該き電区間に停止している列車全てについて通電検査を行い、地絡事故の有無を確認しなければならない。この結果、運転再開には多くの時間が必要となるという課題がある。
【０００６】
実施形態の目的は、電力変換器の高速遮断器よりもパンタグラフ側の上位回路の絶縁健全性を容易に判定可能な電気車システムを提供することにある。
【課題を解決するための手段】
【０００７】
実施形態では、車両主回路の絶縁抵抗を検出する回路を車両に設置し、絶縁状態を自動検出する。基本的にＨＢより下段の回路は、ＨＢにて保護されているため、絶縁状態の確認を行う箇所はＨＢよりもパンタグラフ側の上位回路でよい。絶縁抵抗の検出後は、故障部位のみが解放されるように、接触器の開閉、パンタグラフの昇降を実施する。
【０００８】
すなわち一実施形態に係る電気車システムは、架線から集電装置及び母線を介して電力が供給され、該電力を電動機駆動に適した交流電力に変換し、電力入力端には前記母線に接続される電流遮断器を有する電力変換器と、前記電力変換器の直流側マイナス端子と前記母線間の絶縁抵抗を測定する絶縁抵抗検出手段と、絶縁抵抗検出手段によって測定された絶縁抵抗値が予め設定された闘値より低い場合、前記電力変換器の直流側マイナス端子と前記母線間に短絡が発生していると判定する絶縁抵抗健全性判定手段とを備える。
【図面の簡単な説明】
【０００９】
【図１】第１実施形態に係る車両主回路の構成を示す図である。
【図２】第２実施形態に係る高圧母線引き通し構造を有する編成の構成を示す図である。
【図３】第３実施形態に係る電気車システムの構成を示す図である。
【図４】第４実施形態に係る電気車システムの構成を示す図である。
【図５】第５実施形態として絶縁抵抗検出装置１５の構成例を示す図である。
【図６】第６実施形態に係る電気車システムの構成を示す図である。
【図７】第７実施形態に係る電気車システムの構成を示す図である。
【図８】第７実施形態の作用を説明するための図である。
【図９】第７実施形態の作用を説明するための図である。
【図１０】第８実施形態に係る電気車システムの構成を示す図である。
【発明を実施するための形態】
【００１０】
以下、電気車システムの実施形態について、図面を参照して説明する。
【００１１】
［第１実施形態］
図１は第１実施形態に係る電気車システムの構成を示す図である。
【００１２】
この電気車システムは、架線から直流電力をパンタグラフ（集電装置）１１で受電し、電動機制御回路１２で主電動機１３を駆動する電気車主回路に適用される。パンタグラフ１１は、架線と接触して直流電力を受電し、該直流電力は断路器ＭＳ、ヒューズＭＦを通じて電動機制御回路（ＶＶＶＦ：variable voltage variable frequency）及び補助電源（ＳＩＶ：static inverter）に供給される。断路器ＭＳは手動スイッチで通常はオンされており、定期検査等のときオン／オフされるスイッチである。
【００１３】
ヒューズＭＦと電動機制御回路１２の間には、高速度遮断器ＨＢが設置される。電動機制御回路１２に規定値を超える電流が流れると、高速度遮断器ＨＢが作動（遮断）し、電動機制御回路１２は架線側回路と切り離なされる。また、電動機制御回路１２の入力端と並列に架線電圧検出器ＤＣＰＴが設置され、架線電圧を検出できる。補助電源装置１４は電動機制御回路１２と同様に、高速度遮断器ＨＢを介して架線と接続され、規定値を超える電流が流れると、高速度遮断器ＨＢが作動し、架線側回路と切り離なされる。
【００１４】
このような主回路システムに対して、本実施形態では、高速度遮断器ＨＢよりも架線側に電動機制御回路１２の電力入力端と並列になるように、絶縁抵抗検出回路１５が設置される。絶縁抵抗検出回路１５は、電動機制御回路１２の直流側マイナス端子と前記母線間の絶縁抵抗を測定する。以下、車両主回路内で地絡事故が発生したときの保護について説明する。図１には、短絡事故発生時の事故回路（図中矢印）が示されている。ここでは、架線側偽装線１８が、電動機制御回路のマイナス側と短絡している。この場合、短絡箇所で過大な電流が流れ、直流き電用変電所がトリップする。
【００１５】
直流き電用変電所は、１５秒から３０秒程度で遮断器を自動投入し、再閉路を実施し、き電復帰を試みる。しかし、この短絡事故の場合、ヒューズＭＦが溶断しない限り故障回路が解放されることなく、き電回路と接続され続けるため、事故が継続し変電所の遮断器は再トリップしてしまい、き電停止に至る。
【００１６】
直流き電回路は各変電所が通常並列き電回路を構成しており、事故電流が流れた場合、その電流を最初に観測した変電所がまずトリップし、続いて故障点に流れる電流を断ち切るため、並列き電している隣接変電所に対して、連絡遮断指令を送り、隣接変電所をトリップさせ、事故点への電力供給を絶つ。しかし、車両の事故点が高速度遮断器よりも下段の回路にある場合は高速度遮断器が解放されることで、電動機制御回路や補助電源回路の故障を検出することが可能である。しかし、高速度遮断器よりもパンタグラフ側の回路で発生した事故については、事故を起こした当該編成は、一般に自車で事故が発生していることを検出することができない。
【００１７】
連絡遮断され、停電している区間に複数の列車が存在する場合、どの列車で事故が発生しているのか分からないため、列車のパンタグラフを一度全て降下し、順次パンタグラフを上昇させていき、事故電流が流れた列車が事故車両編成であると初めて分かる。この方法は運転再開までに多くの時間がかかるため問題となる。
【００１８】
そこで、図１にあるように車両主回路に対して絶縁抵抗検出装置１５を設置し、自車内の絶縁健全性を確認可能とする。
【００１９】
具体的には、先ず車両主回路内で短絡あるいは地絡事故が発生し、き電停止となる。次に、その事故点が高速度遮断器ＨＢよりもパンタグラフ側の上位の回路であるかどうか確認する。これは、高速度遮断器ＨＢより下段の回路については、電動機制御回路１２や補助電源回路１４の高速度遮断器ＨＢが作動すなわち保護動作が働くので確認できる。すなわち、高速度遮断器ＨＢが作動（開放）すると、その旨が運転台のモニタに表示されるので、事故点の解放が行われたかどうか判断可能である。ここで、事故点の解放が行われたのであれば何もしない。き電再投入が実施され、き電は無事再開し、列車は正常な電動機制御回路を用いて走行することが可能になる。
【００２０】
高速度遮断器解放等の保護動作が行われなかった場合で、なおかつ変電所の再閉路で再度トリップした場合、車両主回路の高速度遮断器よりもパンタグラフ側で短絡あるいは地絡事故が発生した可能性が高い。その場合、列車は先ず高速度遮断器を開放し、パンタグラフを降下させる。このとき及びこれ以降の動作は、車両に搭載した蓄電池を用いて行われる。車載した絶縁抵抗検出装置１５で絶縁抵抗を測定し、主回路絶縁状態の健全性を確認する。ここで、絶縁抵抗の著しい低下が確認されれば、車両は故障（短絡）しているといえる。
【００２１】
絶縁抵抗検出装置１５は、予め設定した絶縁抵抗の閾値よりも測定値が下回っていた場合に、絶縁抵抗不良との判定を出す。絶縁抵抗不良の判定は、運転室に設置されたブザーなどの報知器、もしくはＬＥＤ、ディスプレイ、電灯等の表示器によって運転士に知らせる。
【００２２】
当該編成が後述するように編成管理部を有し、各部の機器を統括管理している場合、編成管理部を通じて、絶縁抵抗検出装置に測定指令を送り、測定結果を編成管理部に伝送し、編成管理部を通じて、運転席のディスプレイに絶縁抵抗低下箇所及び判定内容を表示する。絶縁抵抗検出装置の電源は、前述したように車載している蓄電池もしくは、絶縁抵抗検出装置専用の蓄電池を電源とする。
【００２３】
絶縁抵抗の測定に際しては、機器損傷を防ぐため、種々のインタロックすなわち安全対策を施す。たとえば、図１に示すように、架線電圧検出用の電圧検出器ＤＣＰＴが設置され、そのＤＣＰＴによって電圧が検出されている場合、もしくは、ある一定値以上の電圧が検出されている場合は絶縁抵抗の測定ができなくなるようにする。これは、パンタグラフが架線に接触している可能性があるからである。同様に電動機主回路内または補助電源装置内にあるフィルタコンデンサに電荷が残っている状態で、高速度遮断器が誤ってオンされ、絶縁抵抗検出装置の測定端子にフィルタコンデンサの高電圧が印加されると、絶縁抵抗検出装置が損傷する可能がある。これを防ぐため、これらコンデンサの残留電圧を検出し、この電圧がある閾値以下、例えば２４Ｖになるまでは、絶縁抵抗検出装置による絶縁抵抗測定を禁止してもよい。
【００２４】
また、回路の絶縁抵抗を測定中に、誤ってパンタグラフを上昇し架線に着線することを防止するため、絶縁抵抗測定中には編成中の全パンタグラフの上昇を不可能としてもよい。
【００２５】
絶縁抵抗検出装置が、絶縁状態を不良と判定した後も、不良箇所を含む回路が架線と接続されることを防ぐために、該当不良線を通じて機器間を接続する接触器（後述される）の投入を禁止する等のインタロックを実施する。
【００２６】
絶縁不良を検出した当該車両は故障部位を開放し再起動、自力走行もしくは救援列車にて走行することになる。従来は、故障車両を特定するのに多数のパンタグラフの昇降で多くの時間を要していたが、本実施形態を適用することで、短時間で短絡事故を起こした車両の特定及び処置が可能となる。
【００２７】
［第２実施形態］
列車の日常の絶縁健全性診断に実施形態を適用することも可能である。具体的には留置線すなわち電気車両保管場の線路に停車し、パンタグラフが降下された状態の列車が、営業運用開始前に主回路の絶縁抵抗を測定し、絶縁状態の健全性を判定する。測定した絶縁抵抗値を車載記憶装置に記憶し、定期検査の際に絶縁抵抗の劣化状況を解析することが可能になる。
【００２８】
このように営業運用開始前に、列車の絶縁状態を検出し未然に短絡事故を防止できるということは、信頼性の要求される鉄道システムにおいて有効であるといえる。
【００２９】
図２は第２実施形態に係る電気車システムの構成を示す図である。
【００３０】
この車両編成は、高圧母線１８により各車両のユニット（ＶＶＶＦ及びＳＩＶ）１７が引き通されている、いわゆる高圧母線引き通しの構造を有している。すなわち、架線電圧が１本の高圧母線を介して、各車両のユニット１７に電源電圧として共通に供給される。各車両のユニット１７のＶＶＶＦ及びＳＩＶには、前述の高速遮断器ＨＢ（図示されず）が内蔵されている。また、以下に説明される他の実施形態においても同様に、ＶＶＶＦ及びＳＩＶには、前述の高速遮断器ＨＢが内蔵されている。
【００３１】
この高圧母線１８は接触器ＢＬＢ１とＢＬＢ２によって給電の区分がなされる。高圧母線１８の末端には絶縁抵抗検出装置１５が設置される。編成管理部２０は例えば運転室に設けられ、運転士からの指令に基づいて、各車両のユニット１７の制御及び監視、ドアの開閉、パンタグラフ１１の昇降、接触器ＢＬＢ１とＢＬＢ２のオン／オフ、絶縁抵抗検出装置１５の絶縁抵抗測定動作等、編成全体を総合的に制御及び管理する。
【００３２】
このような編成において、編成管理部２０はパンタグラフ１１の降下を確認した後、接触器ＢＬＢ１とＢＬＢ２を開放して絶縁抵抗を測定しつつ、ＢＬＢ１とＢＬＢ２を順次投入することで、編成の給電区画の絶縁状態を測定することができる。具体的に、このシーケンスはレバーオフ（全ＨＢオフ）の後、編成管理部２０からＢＬＢ１開放、ＢＬＢ２開放の指令を出し、末端にある二つの絶縁抵抗検出装置に測定指令を出す。この結果、第一区分Ａ及び第３区分Ｃの絶縁抵抗が測定される。次にＢＬＢ１もしくはＢＬＢ２を通電し、区分Ｂの絶縁抵抗を測定することで、高圧母線全体の絶縁健全性をチェックする。
【００３３】
［第３実施形態］
図３は第３実施形態に係る電気車システムの構成を示す図である。
【００３４】
この編成においても、高圧母線１８により各車両のユニット１７が引き通されている。本実施形態では、高圧母線１８が接触器によってユニット１７毎に分割されていない。この高圧母線引き通しの中央部、ほぼ編成の駆動力（電力）が半分になる母線上位置に、接触器ＢＬＢ３と絶縁抵抗検出装置１５を設置する。つまり、接触器ＢＬＢ３により分割された２つの区画に供給される電力量が同程度となる位置に、接触器ＢＬＢ３が配置される。絶縁抵抗検出装置１５はスイッチ２２によって、Ａ方面とＢ方面の母線絶縁状態を計測できる。
【００３５】
この構成により、絶縁抵抗検出装置１台で、高圧母線全体の絶縁性能をチェックすることができるほか、絶縁性能が不良とされた方面のユニット回路を開放し、健全群のみの車両で運転が可能になる。高圧母線１８の引き通しがあるが、高圧母線１８を区分する接触器がない編成の改造に有効であり、最小の追加機器で編成信頼性を高めることができる。勿論、Ａ方面の高圧母線、Ｂ方面の高圧母線それぞれの絶縁抵抗を測定できるように絶縁抵抗検出装置を個別に設置しても良い。
【００３６】
［第４実施形態］
図４は第４実施形態に係る電気車システムの構成を示す図である。
【００３７】
この車両編成は上記実施形態同様に、高圧母線１８で各車両のユニットが引き通されている。この高圧母線１８は接触器ＢＬＢ１とＢＬＢ２によって給電区分ができるようになっている。絶縁抵抗検出装置１５は、例えば接触器ＢＬＢ１とＢＬＢ２の間に配置され、例えば運転台からの測定指令に基づいて、絶縁抵抗測定に係わる動作を制御する。すなわち絶縁抵抗検出装置１５は、パンタグラフ１１の昇降、接触器ＢＬＢ１とＢＬＢ２のオン／オフ、母線１８の絶縁抵抗測定を行い、測定結果を編成管理部に送信する。このような編成において、絶縁抵抗検出装置１５はパンタグラフ１１の降下、高速度遮断器ＨＢ（図示されず）の開放を確認した後、絶縁抵抗を測定しつつＢＬＢ１とＢＬＢ２を順次投入することで、編成の給電区画の絶縁状態を測定することができる。
【００３８】
接触器ＢＬＢ１とＢＬＢ２の投入時、絶縁抵抗検出装置１５は絶縁抵抗の健全性を確認した上で接触器を投入する。絶縁抵抗に不良がある場合、絶縁抵抗検出装置１５は接触器を開放あるいは既に開放されている場合はその状態を維持する。パンタグラフについても同様で、絶縁抵抗検出装置１５は母線に絶縁不良がある場合はパンタグラフが投入できないようにリレーシーケンスを設定する。
【００３９】
本実施形態では、編成管理部の制御を介さずに絶縁抵抗検出装置１５が絶縁健全性のチェックと該当絶縁不良区分の開放を制御するため、絶縁抵抗検出装置を編成に後から追加する場合に、編成管理部の改造に要する手間を削減することができる。
【００４０】
［第５実施形態］（請求項    ）
次に、絶縁抵抗検出装置１５の構成例を第５実施形態として説明する。図５は絶縁抵抗検出装置１５の構成例を示す図である。
【００４１】
絶縁抵抗測定部１５ａは、母線１８に例えば数十ボルトの電圧を印加し、その時流れる電流の大きさ、または電流の大きさに基づく母線の絶縁抵抗値を測定する。絶縁健全性判定部１５ｂは測定された電流値または絶縁抵抗値に基づいて、絶縁の良否を判定する。すなわち絶縁健全性判定部１５ｂは、短絡あるいは絶縁不良が発生してるか否か判定する。このとき絶縁健全性判定部１５ｂは、測定対象の母線に接続されている区画（ユニット１７）の数等に応じて、判定用電流閾値又は抵抗閾値を可変する。例えば、ＢＬＢの制御により、測定対象の区分の数が１区画から２区画に増えると、短絡が発生していない場合の漏れ電流は２倍になる。この場合絶縁健全性判定部１５ｂは、判定閾値が所定の電流値であれば判定閾値を２倍にし、判定閾値が所定の絶縁抵抗値であれば判定閾値を半分にする。また、架線電圧検出用のＤＣＰＴ（図１参照）等が高速度遮断器よりもパンタグラフよりの回路に設置された場合、その内部抵抗によって絶縁抵抗値が大幅に低下する。従って絶縁健全性判定部１５ｂは、測定対象の区画の数及びＤＣＰＴが接続されているか否かに応じて、判定閾値を可変する。すなわち絶縁健全性判定部１５ｂは、高圧母線を区分する接触器の投入に応じて、絶縁抵抗不良を判定する閾値を可変することで、適切な絶縁健全性評価を可能としている。
【００４２】
インターフェース部１５ｃは、判定部１５ｂの判定結果を運転室のマスターコントローラ、編成管理部、車両検査データ記憶用外部記憶装置等に送信する。また、図４の第４実施形態のような場合は、判定結果に応じてＢＬＢ、高速遮断器、パンタグラフ制御器等に作動信号を送信し、編成を走行可能状態とする。
【００４３】
［第６実施形態］
次に第６実施形態を説明する。図６は第６実施形態に係る電気車システムの構成を示す図である。
【００４４】
本実施形態は、車両走行中つまりパンタグラフが架線に接している状態で、電流検出器ＣＴ(current transformer)を用いて編成中の故障電流を検出する。図６に示すように電流検出器ＣＴ１、ＣＴ２、ＣＴ３が各パンタグラフからの電流入力位置に設置される。この入力電流を監視することで車両内に故障電流が流れたかどうかを判定することができる。
【００４５】
具体的には各電流検出器ＣＴの検出電流値合計の単位時間当たりの電流変化量ΔＩを検出する。ΔＩのセット値は、基本的には変電所のΔＩ継電器と同じセット値、例えばサンプリング１００ｍｓ、１０００Ａを用いる。
【００４６】
列車に搭載された地絡電流検出装置２３は各電流検出器ＣＴの電流合計値を算出しており、電流合計値のΔＩが、上記セット値を超えた場合、当該編成に地絡電流が流れたと判断する。地絡電流検出装置２３は地絡電流が流れたことを示す判定信号を、編成管理部等に送信する。
【００４７】
この後の制御、すなわちパンタグラフ降下、接触器開放等の制御は、地絡電流検知器２３が行っても良いし、編成管理部が行ってもよい。
【００４８】
［第７実施形態］車両走行中
図７は第７実施形態に係る電気車システムの構成を示す図である。
【００４９】
図６の上記第６実施形態で説明した電流検出器ＣＴだけでなく、図７に示すように直流母線で引き通された編成において、直流引き通し母線に横流監視用ＣＴを設置し、車両ユニット間の横方向電流を検出することで、編成内の故障部位を推定することが可能になる。
【００５０】
具体的には第６実施形態のように、地絡電流検知器２３は車両走行中に、先ず地絡電流を検出する。これによって当該編成で地絡電流が流れたことが分かる。次に地絡電流検知器２３は、直流母線の横方向電流を監視する電流検出器ＣＴ４、ＣＴ５が観測した電流の向きと大きさから、どの方面で地絡が発生したのかを判断する。例えば、図８に示すような向きに電流が流れた場合、中央のユニットに故障電流が流れたと推測することができる。
【００５１】
また、図９の場合地絡電流の向きが左のユニットに集中していることから、地絡点が左側のユニットにあることが分かる。地絡が検出されたユニットは、編成管理部あるいは地絡電流検知器２３の制御の下、前記実施形態にあるように、き電回路から隔離するためパンタグラフ降下、接触器解放等の保護処置を自動実施する。
【００５２】
［第８実施形態］
図１０は第８実施形態に係る電気車システムの構成を示す図である。
【００５３】
上記第５実施形態までは、絶縁抵抗検出装置を用いて絶縁状態を判定していたが、本実施形態では耐圧試験装置を用いて、回路の健全性を判定する。
【００５４】
解決すべき課題は高速遮断器ＨＢよりもパンタグラフ側の上位回路の健全性であるため、ＨＢよりもパンタグラフ側に上下アーム短絡用の接触器ＭＣＯＳ１と、電動機制御回路１２のアース分離用の接触器ＭＣＯＳ２が設けられ、蓄電装置２６を電源とする耐圧試験回路２５が直流側電源ラインに接続されている。
【００５５】
耐圧試験を実施する場合は、パンタグラフ降下、ＨＢオフの状態でＭＣＯＳ２を開放し、電動機制御回路のアースを分離する。この状態でＭＣＯＳ１を投入してＤＣＰＴを短絡し、耐圧試験回路２５で主回路とアース（箱枠ｏｒ車体）の間に高圧をかけ漏れ電流を測定する。このときの印加電圧は、例えばＡＣ５４００Ｖを想定する。
【００５６】
この耐圧試験をした際に、漏れ電流が健全時に測定したときよりも大きな電流が流れた場合、もしくは事前に設定した、判定閾値を超える漏れ電流が流れた場合、当該主回路が地絡していると判定される。尚、この耐圧試験は、編成管理部２０（図２参照）と耐圧試験回路２５が共同して行っても良いし、編成管理部２０からの試験開始指令に応答して耐圧試験回路２５がパンタグラフ降下等の動作を全て行っても良い。
【００５７】
このシステムは前記実施形態と同様に、営業運転前に事前に回路の健全性診断に活用することも可能であり、経年劣化による碍子等の絶縁物の絶縁性能低下を検出することができる。測定した絶縁や漏れ電流に関するデータは、耐圧試験装置内蔵の記憶装置、あるいは前記実施形態のように、絶縁抵抗検出装置あるいは編成管理部の記憶装置に一時的に格納し、後に保守管理データとして読み出し、メンテナンスに活用することも可能である。
【００５８】
以上の説明はこの発明の実施の形態であって、この発明の装置及び方法を限定するものではなく、様々な変形例を容易に実施することができるものである。例えば、上記実施形態に開示されている複数の構成要素の適宜な組み合せにより種々の発明を構成できる。
【符号の説明】
【００５９】
１１…パンタグラフ、１２…電動機制御回路、１３…主電動機、１４…補助電源、１５…絶縁抵抗検出回路、１７…車両ユニット、１８…母線、ＣＴ…電流検出器、ＢＬＢ…接触器、ＭＣＯＳ…接触器、ＭＳ…断路器、ＭＦ…ヒューズ。
【図１】
0005774351.tif 000002
【図２】
0005774351.tif 000003
【図３】
0005774351.tif 000004
【図４】
0005774351.tif 000005
【図５】
0005774351.tif 000006
【図６】
0005774351.tif 000007
【図７】
0005774351.tif 000008
【図８】
0005774351.tif 000009
【図９】
0005774351.tif 000010
【図１０】
0005774351.tif 000011